(57)【特許請求の範囲】
【請求項１】
中空器官の内部の褶壁を保持するための装置において、
該装置は、
遠位端および近位端を有する細長い部材であって、
前記遠位端は、体腔内に挿入され、
前記細長い部材は、前記遠位端にエンドエフェクタを有し、該エンドエフェクタは、開かれた遠位端と円柱状の壁に１対の側部開口とを有する外側シリンダー、および、開かれた遠位端と円柱状の壁に１対の側部開口とを有する内側シリンダーを備え、
前記内側シリンダーは、前記外側シリンダーの前記側部開口が前記内側シリンダーの前記側部開口に少なくとも部分的にオーバーラップするように、前記外側シリンダーの内部に少なくとも部分的に配置され、
前記外側および内側シリンダーは、前記開口がほぼ完全にオーバーラップする開かれた位置から、前記開口が前記開かれた位置に比べて小さな程度だけオーバーラップする閉じられた位置まで互いに対して回転可能であり、
前記エンドエフェクタは、前記細長い部材から取り外し可能であり、これにより、前記体腔の内部に残ることができる、
細長い部材と、
管状の通路であって、
前記通路は、前記エンドエフェクタと流体連通している前記細長い部材を通って延び、
前記通路は、近位端に取り付けられた真空源を有する、
管状の通路と、
を備える、装置。
【請求項２】
請求項１に記載の装置において、
前記外側シリンダーは、前記開口の外側エッジに沿って組織把持手段をさらに備える、装置。
【請求項３】
請求項１に記載の装置において、
前記内側シリンダーは、前記開口の外側エッジに沿って組織把持手段をさらに備える、装置。
【請求項４】
請求項１に記載の装置において、
前記細長い部材は、内視鏡である、装置。
【請求項５】
請求項１に記載の装置において、
前記細長い部材は、前記エンドエフェクタと連絡する真空源をさらに備える、装置。
【請求項６】
請求項１に記載の装置において、
視覚化装置、
をさらに含む、装置。
【発明の詳細な説明】
【開示の内容】
【０００１】
〔発明の分野〕
本発明は、概して、肥満治療装置、より具体的には、胃体積の低減を達成するために胃組織領域に経口的に褶壁形成術を施し、胃組織領域を締め付けるための装置に関する。
【０００２】
〔背景技術〕
病的肥満を患う世界人口における率は、着実に増加している。極端に肥満した人は、心疾患、脳卒中、糖尿病、肺疾患および事故の増大された危険にさらされやすい。患者の生命に対する病的肥満の影響に起因して、病的肥満の治療法が研究されている。
【０００３】
病的肥満のための多数の非手術的治療が、事実上は永続的な成功なしに試みられてきた。食事カウンセリング、行動の改変、患者の顎をワイヤで閉じること、および薬理学的方法が全て試みられたが、健康状態を修正することはできないままである。非外科的手術手段によって体内に挿入される機械的な装置、例えば、胃を充たすための胃バルーンの使用なども、このような健康状態の治療に用いられてきた。しかしながら、このような装置は、極度の炎症の原因となることが多く、周期的な除去、ひいては治療の中断を必要とするので、長期にわたって用いることができない。したがって、医療共同体が、病的肥満の治療のための外科手術的アプローチを考案した。
【０００４】
病的肥満の治療のためのたいていの外科手術処置は、概して食物吸収の阻止（吸収不良）、または患者に満腹感を得させる胃の制限（胃制限）に向けられるものに分類されてよい。最も一般的な吸収不良および胃制限技術は胃バイパスである。この技術の変化態様では、胃が２つの分離された袋に水平方向に分割され、上側の袋は小さい食物収容能力を有している。この上側の袋は、小孔によって小腸または空腸に接続されており、このことは、著しく縮小された使用可能な胃による食物の処理を制限する。食物は腸の多くを迂回するため、食物吸収量は非常に低減される。
【０００５】
上記処置には多くの欠点がある。典型的には、上述の処置は、開腹外科手術環境で行われる。現在の最小限に侵襲性の技術は、外科医にとって習得することが難しく、また多くの付加的な欠点を有する。簡単に撤回することができないそのような思い切った処置を行うという考えに伴う高いレベルの患者の不安もある。さらに、全ての吸収不良技術は、栄養不良、ダンピング症候群を含む、患者に対する継続的な危険および副作用を伴う。
【０００６】
それゆえ、多くの患者および医師は病的肥満の治療のために胃制限処置を行うことを好む。最も一般的な処置の一つは、調節可能な胃バンドの植え込みを伴う。調節可能な胃バンドの例は、Ｋｕｚｍａｋに付与された、米国特許第４，５９２，３３９号、Ｋｕｚｍａｋに付与された米国再発行特許第ＲＥ３６１７６号、Ｋｕｚｍａｋに付与された米国特許第５，２２６，４２９号、Ｊａｃｏｂｓｏｎに付与された同第６，１０２，９２２号、およびＶｉｎｃｅｎｔに付与された同５，６０１，６０４号に見出すことができ、これらは全て、参照により本明細書に組み入れられる。現在の通常処置によれば、胃バンドは、胃を取り囲むように操作して配置される。胃バンドは、胃を、間に小孔を備えた２つの部分に分割する。上側の部分または袋は、比較的小さく、下側の部分は比較的大きい。小さく分割された胃部分が効果的に患者の新しい胃になり、患者に満腹感を得させるためには極めて少量の食物しか必要としない。
【０００７】
しかしながら、患者および医師は、病的肥満を治療するためのさらにより低侵襲性の製品および処置を求めている。
【０００８】
〔発明の概要〕
中空器官の内部の褶壁を保持するための装置である。この装置は、遠位端および近位端を有する細長い部材を含む。遠位端は、体腔内に挿入される。細長い部材は、遠位端にエンドエフェクタを有している。このエンドエフェクタは、少なくとも１つの開口を有する外側シリンダー、および、少なくとも１つの開口を有する内側シリンダーを有している。内側シリンダーは、外側シリンダーの内部に少なくとも部分的に配置され、これらのシリンダーは、互いに対して回転可能である。エンドエフェクタは、細長い部材から取り外し可能であり、これにより、エンドエフェクタは、体腔の内部に残ることができる。
【０００９】
〔発明の詳細な説明〕
本明細書は、本発明を具体的に示し、明確に請求する特許請求の範囲によって結論付けられるが、付随する図面に関連して以下の記載を参照することにより、よりよく理解されるであろうことが確信される。
【００１０】
本発明は、胃腔の体積を低減するために胃腔の内部に組織襞を形成するための、内視鏡による組織褶壁形成および締め付け装置に関する。胃腔の内壁に沿って複数の襞を形成し、固定することによって、本発明は、胃腔の内部の表面積を低減し、これにより、胃内に収容できる食物体積を減じる。本発明は、簡易化された組織褶壁形成処置を提供する。この処置では、組織襞が、ステープル、もしくは吸収可能または除去可能なクリップによって保持され、これにより、処置が容易に撤回されることを可能にする。さらに、本発明は、胃腔の大きい面積が経口的に褶壁形成されることを可能にし、これにより、開腹外科手術的な褶壁形成術の処置で遭遇する外傷なしに、効果的な肥満学的治療を提供する。
【００１１】
図１は、本発明の組織褶壁形成装置２０のための第１の実施形態を示している。組織褶壁形成装置２０は、可撓性の内視鏡２４などの細長い部材の遠位端に接続された襞形成部材またはエンドエフェクタ２２を備える。襞形成部材２２は、装置内に引き込まれた組織を収容するための開かれた遠位端２６を含む。接続部材３０が、襞形成部材を内視鏡に確実に取り付けるために襞形成部材２２と内視鏡２４との間に延びており、これにより、経口的な挿入および除去時には、襞形成部材は内視鏡と一緒に搬送される。内視鏡２４は側部ポート３２を含み、この側部ポート３２は、内視鏡の内部の作業通路へのアクセスならびに装置２０を胃腔の内部の望ましい位置に案内するための視覚化能力を提供する。組織を装置内に引き込むために真空が襞形成部材２２に供給される。図１に示した実施形態では、真空は、内視鏡２４の外部長さに沿って延びる別個の真空ライン３４を通って供給される。真空ライン３４は、近位端３６で従来の真空源（図示しない）に接続している。択一的な実施形態では、真空は、別個の外部真空ラインを通ってではなく、内視鏡２４の作業通路を通って襞形成部材２２に供給されてもよい。
【００１２】
装置２０の制御が、内視鏡２４の外部長さに沿って延びる接続部４０によって提供される。制御接続部４０は、以下にさらに詳しく記載するように、開かれた位置と閉じられた位置との間で部材を移動させるために遠位端で襞形成部材２２に取り付けられている。近位端では、制御接続部４０は、制御組立体（図示していない）に取り付けられる。制御組立体は、組織襞形成、および固定処置を行うために外科医によって操作される。複数の異なるタイプの制御組立体が、本発明の襞形成部材を駆動するために利用されてもよい。これらの組立体は、プッシュ・プル式のケーブルシステム、回転式のケーブル／ロッド、水圧式の作動システム、または電磁式の作動システムを含んでいてもよい。
【００１３】
組織褶壁を形成するためには、図２に示すように、装置２０が経口的に食道上部チューブ４２を通って、胃腔４４に挿入される。襞形成部材２２は、初期の閉じられた位置で食道を通って胃腔に挿入される。この閉じられた位置は、胃腔内へのより容易な搬送を可能にする。挿入に続いて、内視鏡２４が、胃腔４４の内部を（たいていの内視鏡に共通の視覚化装置によって）視覚化し、襞を配置するために適切な位置を選択するために用いられる。位置が決定された後には、図２に示すように、襞形成部材２２の遠位先端が、選択された位置で組織壁４６に押し込まれる。次いで、隣接組織を装置２０に引き込むために真空ライン３４を通って真空が適用される。真空が適用されると、制御組立体は襞形成部材２２を、開かれた、組織を収容する位置に回転させる。
【００１４】
図３Ａ〜図３Ｃは、部材が閉じられた位置から開かれた位置に回転されるときの襞形成部材２２の遠位端をより詳細に示している。図面に示したように、襞形成部材２２は、それぞれ開かれた遠位端２６を有する一対の同心的なシリンダー５０（内側シリンダー），５２（外側シリンダー）を備えている。側部のスロットまたは開口５４が、開かれた端部２６から、それぞれのシリンダー５０，５２の対向する側に延びている。それぞれのスロット５４の一方のエッジは、符号５６で示すように、組織をスロット内に案内するために内側に向かってわずかに角度付けられている。図３Ａに示した初期位置では、シリンダー５０，５２は、これらのシリンダーの側部のスロット５４がずれた状態で位置付けられており、これにより、実質的に部材の側部を閉じる。組織襞を形成するためには、シリンダー５０，５２の一方が他方のシリンダーに対して回転され、これにより、図３Ｂに示したように側部のスロット５４が開かれる。襞形成部材２２を徐々に開くようシリンダーが回転されると、遠位の開口２６を通って組織壁に真空が適用され、これにより、組織がスロット５４に引き込まれる。図３Ｃに示すように、襞形成部材２２が完全に開かれた後に、組織の上層および下層が、漿膜が漿膜に面した形態で一緒に襞状に折り畳まれると、組織がスロット５４を充たす。
【００１５】
図４は、組織壁４６が、褶壁５８を形成するために、完全に開かれた襞形成部材２２内に襞状に折り畳まれた状態の装置２０を示している。褶壁５８が形成された後には、例えば、ステープラー（図示しない）などの組織締め付け機構が、褶壁を固定するために内視鏡２４の作業通路を通過させられる。択一的には、褶壁が形成され、組織が互いに固定された後には、エンドエフェクタを内視鏡から取り外することもできる。このことは、エンドエフェクタが閉じられた位置にある場合に係止する、適合するディテントをシリンダーに配置するなど、当業者に公知のさまざまな手段によって行われてもよい。
【００１６】
褶壁５８が固定された後には、締め付け機構が引っ込められ、ライン３４を通る真空が停止され、これにより、褶壁が、襞形成部材２２から解放される。褶壁の解放に続いて、シリンダー５０，５２が、襞形成部材２２を閉じるために回転される。次いで、内視鏡２４および襞形成部材２２は、さらなる褶壁を形成するために胃腔の内部の別の位置に移動されてもよい。いったん新しい場所に来ると、部材が回転して開かれると、襞形成部材２２に真空が再び適用され、組織が側部スロット５４の内部に襞となるように引き込まれる。襞形成後には、組織は再び固定され、真空が停止され、襞形成部材２２は、閉じられた位置まで回転される。組織褶壁を形成するためのこの処置は、望ましい数の褶壁が完成するまで胃腔の内部の複数の位置で繰り返されてもよい。典型的な肥満学的処置では、約５０％の体積低減を行うために、５つまたは６つの褶壁が胃腔の内部に形成されることが期待される。しかしながら、より少ない、またはより多い数の褶壁が、患者の特定の要求に応じて形成されてもよい。
【００１７】
図５および図６は、本発明の襞形成部材のための択一的な一実施形態を示している。この択一的な実施形態では、組織襞形成部材は、接続部材３０により内視鏡２４の遠位端に接続された、往復運動する一対の半円形のジョー６０を備えている。これらのジョー６０は、遠位の開口６４に対して開閉するように旋回ピン６２によって互いに取り付けられている。それぞれのジョー６０は、襞形成部材の軸線方向の中心線に対して外側方向に旋回するように制御接続部４０によって操作される。真空が、真空ライン３４によってジョー６０の間の内部領域に適用される。ジョー６０は、胃腔への経口的な挿入時の初期には閉じられた位置にある。いったん胃腔に入ると、襞形成部材の第１の実施形態に関して上述したのと同様に、ジョー６０の遠位エッジが、望ましい褶壁形成位置で組織壁に押し込まれる。ジョー６０が組織壁に収容されると、真空源が作動され、ジョーはゆっくりと開き、ジョーの間の開口に組織壁を襞状に折り畳む。一対の歯６６が、襞形成組織を把持し、褶壁が固定され、次いで解放されるまで襞形成組織をジョー内に保持するために、それぞれのジョー６０の外側エッジに隣接して位置付けられていてもよい。図６に示したように、ジョー６０が完全に開かれた後には、組織固定装置が、襞を固定するために内視鏡２４の作業通路を通過させられてもよい。
【００１８】
図５および図６に示した実施形態に対する択一的な一実施形態では、組織襞形成部材は、一組の組織把持ジョーを備えてよく、第１のジョーは、固定された第２のジョーに対して回転する。この実施形態では、図７に示すように、襞形成部材は、上部切欠きを有するシリンダー７０を備えており、これにより、固定された下部ジョー７２が形成される。下部ジョー７２は、半円形の遠位突出部として、シリンダー７０から軸線方向に延びている。組み合わされる半円形の上部ジョー７４が、旋回ピン７６によって襞形成部材に取り付けられる。上部ジョー７４は、下部ジョー延長部７２に対して平行に延びている。組織襞を形成するためには、シリンダー７０の内部を通って真空が適用され、これにより、組織壁がジョー７２，７４の間の開口７８に近位側で引き込まれる。組織がジョーの間に引き込まれると、制御接続部４０によって、上部ジョー７４は、下部ジョー７２から離れるように旋回され、これにより、組織開口のサイズが増大され、組織壁が開口内に襞状に折り畳まれる。上部ジョー７４が完全に開かれた位置に旋回された後には、ジョーの間の襞状に折り畳まれた組織は、内視鏡２４を通過させられた締め付け装置によって固定される。次いで真空は停止され、固定された褶壁は襞形成部材から解放される。
【００１９】
図８は、本発明の襞形成部材のための別の択一的な実施形態を示している。この実施形態では、組織の襞形成は、接続部材３０によって内視鏡２４の遠位先端に取り付けられた円柱形のエンドピース８０によって行われる。エンドピース８０は、開かれた遠位端８４から近位側に延びる側部スロット８２を含む。開かれた端部８４内に組織を引き込み、スロット８２内へ組織を引き上げるために、エンドピース８０の内部を通って真空が適用される。組織がスロット８２内に引き込まれると、組織の壁は互いに襞状に折り畳まれる。組織がスロット８２内に完全に引き上げられた後には、固定装置が内視鏡２４を通過させられ、組織層が互いに付着されうる。組織固定に続いて、ライン３４を通る真空が停止され、組織褶壁が遠位端８４から解放される。
【００２０】
図９は、本発明の組織襞形成部材のためのさらに別の実施形態を示している。この実施形態では、部材はシリンダー９０を備え、このシリンダーは、開かれた遠位端９２、および一対の側部スロット開口９４，９６を有している。この実施形態では、真空は、シリンダー９０および開かれた遠位端９２を通って適用され、これにより、組織が装置に引き込まれる。組織が装置に引き込まれると、この組織は、側部スロット９４，９６内まで拡張する。組織が側部スロット９４，９６に引き込まれると、襞がスロット内に形成される。組織がスロット９４，９５に完全に引き上げられると、固定装置は、内視鏡２４を通過させられ、組織層が互いに付着されうる。組織の固定に続いて、ライン３４を通る真空が停止され、装置は腔壁から離れるように引っ込められ、これにより、組織褶壁は遠位端９２から解放される。図８および図９に示した襞形成部材の実施形態は両方とも、組織を装置に引き込むための固定された円柱体を備えている。したがって、これらの実施形態は、襞形成部材を操作するために制御接続部４０を装置の遠位端まで延長させる必要性を取り除く。
【００２１】
図１０Ａおよび図１０Ｂは、本発明の組織襞形成部材のためのさらなる実施形態を示している。この実施形態では、襞形成部材は、円柱状部材１００を備え、この円柱状部材１００は、開かれた端部１０４から突出している、固定された第１のジョー１０２を有している。引き込み可能な第２のジョー１０６が、固定されたジョー１０２に向かい合った側で、開かれた端部１０４に延びている。この実施形態では組織襞を形成するために、襞形成部材の遠位先端１０７が、望ましい褶壁形成位置で胃組織壁に押し込まれる。第２のジョー１０６は、襞形成部材が組織壁に対して位置付けられた場合、初期には図１０Ａに示した引き込まれた位置にある。組織接触が望ましい位置で行われると、シリンダー１００の内部を通ってライン３４からの真空が加えられ、これにより、組織が第１のジョー１０２に引き付けられる。組織壁が第１のジョー１０２に結合された後には、第２のジョー１０６は遠位側で、第１のジョー１０２に対して実質的に平行に移動させられ、これにより、組織は外側に引っ張られ、組織は第１のジョーの上で襞状に折り畳まれる。参照番号１０８によって示すように、第２のジョー１０６の先端は、半径範囲(radii)で平滑であり、これにより、組織上への第２のジョーのスライドが容易になる。図１０Ｂに示すように、第２のジョー１０６が完全に延長された後には、締め付け機構が、シリンダー１００の内部を通過させられ、褶壁を締め付ける。締め付け後には、シリンダー１００を通る真空は停止され、ジョー１０６は、シリンダー１００内に引き戻される。次いで襞形成部材は、さらなる褶壁を形成するために新しい組織位置に移動させられてもよいし、または患者から取り除かれてもよい。
【００２２】
胃褶壁形成装置２０のための択一的な実施形態では、装置は、組織襞形成に続いて組織褶壁を固定するための締め付け手段をさらに備えている。装置２０の締め付け手段の使用は、褶壁を固定するために、襞形成後に内視鏡２４に別個の組織締め付け機構を通す必要性を取り除く。図１１に示す実施形態では、襞形成後に装置から褶壁に搬送されるための締め付け部材１１０が装置の遠位端に隣接して配置されている。締め付け部材１１０は、内視鏡２４および襞形成部材２２と一緒に胃腔に通されるために十分に安全に装置２０に保持されるが、しかしながら、褶壁を固定するために、組織襞形成処置の終了時には制御接続部４０によって取り外し可能になっている。図１１に示した実施形態では、締め付け部材はワイヤクリップ１１０である。このワイヤクリップは、襞形成部材２２内の組織襞形成スロット５４のすぐ近位側で接続部材３０に保持されている。ワイヤクリップ１１０は、接続部材３０および襞形成部材２２の周長を取り囲むように輪郭付けされており、装置挿入時にはこの周長に保持される。
【００２３】
図１２Ａ〜図１２Ｃにより詳細に示すように、ワイヤクリップ１１０は、連続的な長さの薄いゲージのワイヤを備えている。クリップ１１０の遠位端は、参照番号１１２により示されているように、襞状に折り畳まれた組織にクランプするのに十分な力を発生させることを支援するように、対向する側でばね形状部として成形されている。ばね形状部１１２から、図１２Ｂに示すように、ワイヤは一対の入れ子状(telescoping)のジョー１１４，１１６の形に成形される。ジョー１１４，１１６は、組織襞の上面および下面に沿ってスライドするように平行して、ばね形状部１１２から遠位側に延びている。ジョー１１４，１１６の遠位先端１１８は、クリップ１１０の軸線方向の中心線から外側に広がっていてもよく、これにより、組織襞上へのクリップの導入が容易になる。図１２Ｃに示すように、クリップ１１０は、接続部材３０の形状に一致するように実質的に円形の横断面を有しており、これにより、装置２０の経口的な挿入時には襞形成部材にクリップを保持することが支援される。組織襞形成後には、制御接続部４０はクリップ１１０を襞形成部材２２から解放するためにクリップ１１０に結合し、クリップを組織襞上にスライドさせる。
【００２４】
図１３は、ワイヤクリップ１１０が配置され、襞形成に先行して胃組織壁に結合している装置２０を示している。図１３に示すように、装置２０が胃腔４４に挿入され、望ましい褶壁位置で組織壁４６に押し込まれるときに、クリップ１１０は接続部材３０で支持される。図１４は、真空が襞形成部材２２を通って適用され、組織壁４６が襞の形に引き込まれるときの胃腔４４を同様に示している。組織襞が形成されると、クリップ１１０のジョー１１４，１１６は拡張し、襞形成部材２２の上に移動し、初めに組織襞に結合する。組織壁４６の上層および下層がスロット５４の内部で一緒に襞状に折り畳まれた後には、クリップ１１０は襞形成部材２２から解放され、これにより、ジョー１１４，１１６が降りて褶壁５８にクランプする。ジョー１１４，１１６は、ばね形状部１１２に蓄積されたエネルギーによって褶壁５８にクランプする。クリップ１１０が褶壁５８に結合した後には、襞形成部材２２に対する真空は停止され、図１５に示すように締め付けられた褶壁を残して、装置２０の残り部分が褶壁位置から離れるように移動される。
【００２５】
図１６Ａ〜図１６Ｄは、本発明の襞形成部材２２と共に使用可能な、組織締め付け具のための択一的な実施形態を示している。この実施形態では、締め付け具は、平行に延びる一対のジョー１２２，１２４の形に形成された連続的なワイヤクリップ１２０を備えており、これらのジョーは組織襞に結合する。ジョー１２２，１２４は、均等に離間された一対のワイヤ長さをそれぞれ備え、これらのワイヤ長さは、参照番号１２６によって示したように、クリップの近位端で１８０°の角度で曲げられる。ジョー１２２，１２４の遠位端は、参照番号１２８で示したように、外側に広がっており、これにより、組織襞へのクリップの導入が支援される。クリップ１２０もまた、組織襞に沿ってクリップが滑ることを防止するための１つ以上のワイヤ形状部を備えている。図１６Ｃに示すように、これらのワイヤ形状部は、ジョー１２２または１２４のいずれかの長さに沿って配置された凹みまたは「歯」１３０を備えていてもよい。図１６Ｄに示すように、クリップ１２０は、接続部材３０および襞形成部材２２の輪郭に従う実質的に円形の横断面を有しており、これにより、制御接続部４０によって組織襞上に解放されるまでクリップは装置２０に保持される。
【００２６】
図１７は、本発明による組織締め付け具のための第３の実施形態を例示している。図１７に示すように、この実施形態では、組織締め付け具は管状に成形されたクリップ１３２を備えている。クリップ１３２は、接続部材３０の外周長に輪郭を合わせて寸法決めされた内径を有しており、この接続部材３０には襞の上に解放されるまでクリップが保持される。クリップ１３２は、組織襞に結合するための開かれた遠位端１３４を有している。一対の半円形のジョー１３６，１４０が、クリップ１３２の軸線方向の長さに沿って延びており、クリップが制御接続部４０によって襞の上に運ばれるときに組織襞に結合される。ジョー１３６，１４０は、丸みを付けられた遠位端部をそれぞれ有しており、これにより、組織襞の上へのクリップ１３２の搬送が容易になる。参照番号１４２により示されている複数の歯が、ジョー１３６，１４０の内側方向に向いたエッジから延びており、クリップの内部に組織を把持および保持し、これにより、締め付け後に組織襞からクリップが外れることを防止する。クリップ１３２は、プラスチックまたは金属の材料から作製されることができる。クリップ１３２は、吸収可能な材料から作られることもでき、この場合、クリップ１３２は、３週間後には溶解し、消化管を安全に通過する。吸収可能な材料の小さい粒子が通過し、大きい部分が一緒に抜け落ちることができないので、クリップは、層状の構造で作られていてもよい。
【００２７】
図１８Ａ〜図１８Ｃは、本発明の組織締め付け部材のための別の択一的な実施形態を例示している。この実施形態では、締め付け具１５０は近位のフレーム領域１５２を備えている。このフレーム領域は、接続部材３０の周長の周りに適合される円柱形の輪郭を有している。締め付け具１５０の遠位端は、一対の半円形の組織結合ジョー１５４，１５６を備えている。ジョー１５４，１５６は、参照番号１５８で示されているように、テーパした遠位エッジをそれぞれ有しており、組織襞に結合するための導入部を提供している。一対の孔１６０が、締め付け具１５０の中央区画の、近位のフレーム領域１５２とジョー１５４，１５６との間に位置付けられている。孔１６０は、締め付け具の軸線方向長さに対して垂直に延びている。縫合糸１６２が、孔１６０を通過し、次いでフレーム領域１５２の開口１６４を近位側で通過する。ジョー１５４，１５６が組織襞に結合した後には、縫合糸１６２は孔１６０および開口１６４を通って引き締められ、ジョー１５４，１５６を組織襞に向かって内側方向に引っ張る。ジョー１５４，１５６が内側方向に引っ張られると、ジョーは襞の上面および下面に沿って横方向にそり、ジョーの間に襞をクランプする。縫合糸ロック１６６が、組織締め付け後に縫合糸１６２に配置され、縫合糸が組織襞をジョー１５４，１５６から緩め、解放することを防止する。
【００２８】
図１９Ａ〜図１９Ｃは、本発明の締め付け手段のためのさらに別の択一的な実施形態を例示している。図１９Ａ〜図１９Ｃには、締め付け具１７０が示されている。この締め付け具１７０は、近位のフレーム領域１７２および遠位のクランプ領域１７４を有している。近位のフレーム領域１７２は、接続部材３０の周長の周りに締め付け具１７０を保持するために円柱状の横断面を有している。クランプ領域１７４は、組織に結合する一対の半円形のジョー１７６，１８０を備えている。ジョー１７６，１８０は、参照番号１８２で示されているように、テーパした遠位エッジをそれぞれ有しており、これにより、組織襞との結合が容易になる。付加的に、組織を把持する歯列１８４が、ジョー１７６、１８０の、内側に向いたエッジに沿って延びており、締め付け具が組織襞に沿ってスリップすることを防止する。一対の孔１８６が締め付け具１７０の中央区画の、フレーム領域１７２とクランプ領域１７４との間に位置付けられている。孔１８６が、締め付け具の軸線方向長さに対して垂直方向に延びている。図１８Ａ〜図１８Ｃに示した実施形態と同様に、縫合糸１９０が孔１８６および開口１８８を通過し、ジョー１７６，１８０を内側方向に組織襞の上にクランプする。参照番号１９２によって示される複数のノッチが、ジョー１７６，１８０の遠位端に沿って軸線方向に延びている。ノッチ１９２は、縫合糸１９０によって締め付けられた場合に、ジョー１７６，１８０が組織襞の表面に沿って平坦になることを可能にする。またノッチ１９２は、襞に均等なクランプ力が加えられることを容易にする。縫合糸ロック１９４が縫合糸１９０に配置され、縫合糸が組織襞をジョー１７６，１８０から緩め、解放することを防止する。付加的な複数の開口１９６がクランプ領域１７４にわたって延びており、組織襞をさらに固定するために締め付け具１７０が胃腔の内側から縫い閉じられることを可能にしている。
【００２９】
図２０Ａ〜図２０Ｃは、本発明の組織締め付け手段の別の択一的な実施形態を例示している。この実施形態では、締め付け具２００は、リング２０２、および、このリングから遠位側に延びる一対の入れ子状のジョー２０４，２０６を備えている。ジョー２０４，２０６の遠位エッジは、参照符号２０８で示されるように、テーパしており、締め付け具２００が組織襞の上に進むように導入エッジを提供する。第１のジョー２０４は、第２のジョー２０６の外側外形部を反映した切欠き２１０を備えており、ジョーが組織襞の上に互いにクランプされた場合にジョーが互いに嵌合することを可能にする。ジョー２０４，２０６は、締め付け具の軸線方向の中心線２１２に向かって予荷重をかけられており、締め付け具が襞の上に引っ張られたときに襞状になった組織を圧縮し、保持する。
【００３０】
図２１は、組織襞を締め付けるための別のクリップ２２０を例示している。クリップ２２０は近位のばね端部２２２を備えている。一対のジョー２２４，２２６が、ばね端部２２２から、丸みを付けられた遠位端２３０まで前方に突出している。遠位端２３０は、組織襞へのクリップ２２０の配置を容易にするように丸みを付けられている。ばね端部２２２は、組織襞にジョー２２４，２２６をクランプし、クリップが襞に沿ってスリップすることを阻止するために役立つ。クリップ２２０が組織襞から解放されることをさらに防止するためには、複数の鋸歯状の歯２３２が実質的にジョー２２４，２２６の長さに沿って延びている。歯２３２は、クリップ２２０が組織襞から除去されることを阻止するように近位側で角度付けられていてもよい。択一的には、歯２３２は遠位側で角度付けられ、組織がクリップの上に延びていない場合には、クリップ２２０が襞から除去されることを可能にする。図２１に示したクリップでは、歯２３２は４５°の角度で配置されており、組織を確実に保持するが、クリップが続いて除去されることを、そのような除去が必要とされる場合には可能にする。
【００３１】
本発明のさらに別の実施形態が、組織褶壁形成装置３２０を示す図２２〜図２４に示されている。装置２３０は、上記の装置２０に類似しているが、しかしながら、装置３２０のエンドエフェクタ３２２は、内視鏡３２４の遠位端２３２から取り外し可能になっている。組織が得られ、（図２５の下方に示したように）エンドエフェクタ３２２の内部に挟み込まれた後には、内視鏡（図示していない）の内部のプッシュロッドがカラー３５０を押圧し、脚部３６０を露出するようにエンドエフェクタ３２２を遠位側に移動させる。脚部３６０は、遠位側に移動したときにエンドエフェクタ３２２に対する把持を外すように、外側方向にバイアスをかけられており、これにより、エンドエフェクタ３２２を、内視鏡３２４に取り付けられた状態から解放する。
【００３２】
装置２０が体内でどのように動作するのかを、図２５Ａおよび図２５Ｂを見て説明することができる。図２５Ａおよび図２５Ｂに示すように、エンドエフェクタ２２は閉じられた位置で体内に配置されており、組織４００に隣接して配置されている。エンドエフェクタ２２の閉じられたシリンダーの内部に組織を引き込むために真空が適用される。その後、シリンダーは、図２５Ｃおよび図２５Ｄに示すように回転される。いま、クリップ、または、上述したような他の締め付け手段が、褶壁を保持するために利用されてもよい。図２２に示した実施形態では、装置はさらに回転されることもでき、これにより、褶壁を保持するために組織がシリンダーの間に挟み込まれる。さらに図面は、一方または両方のシリンダーに把持手段１７を有し、より良好に組織をこの把持手段内に把持するシリンダーを示している。
【００３３】
本発明が、経口的な褶壁形成処置時の使用に関して上述された。しかしながら、装置は、本発明の範囲を逸脱することなしに、腹腔鏡を用いた組織褶壁形成処置および開腹による組織褶壁形成処置時の使用のためにも適用可能であることを理解されたい。さらに、襞形成部材のための上記実施形態はそれぞれ交換可能であり、組織褶壁形成処置時に組織を締め付ける実施形態それぞれと共に使用可能であることが意図されている。
【００３４】
上記記載のものは、滅菌され、再利用される場合があることも理解されたい。ガンマ放射線およびＥＴＯを含む、当業者に知られている数多くの滅菌法がある。
【００３５】
本発明の好適な実施形態が本明細書に示され、記載されたが、このような実施形態は、例示目的でのみ提供されていることが当業者には明らかであろう。いまや当業者であれば、添付の請求項の精神および範囲を逸脱することなし多数の変化形態、変更、代替形態に想到するであろう。
【００３６】
〔実施の態様〕
（１）中空器官の内部の褶壁を保持するための装置において、
該装置は、
ａ．遠位端および近位端を有する細長い部材であって、
前記遠位端は、体腔内に挿入され、
前記細長い部材は、前記遠位端にエンドエフェクタを有し、該エンドエフェクタは、円柱状の壁に少なくとも１つの開口を有する外側シリンダー、および、円柱状の壁に少なくとも１つの開口を有する内側シリンダーを備え、
前記内側シリンダーは、前記外側シリンダーの内部に少なくとも部分的に配置され、
前記外側および内側シリンダーは、互いに対して回転可能であり、
前記エンドエフェクタは、前記細長い部材から取り外し可能であり、これにより、前記体腔の内部に残ることができる、
細長い部材と、
ｂ．管状の通路であって、
前記通路は、前記エンドエフェクタと流体連通している前記細長い部材を通って延び、
前記通路は、近位端に取り付けられた真空源を有する、
管状の通路と、
を備える、装置。
（２）実施態様１に記載の装置において、
前記外側シリンダーは、前記開口の外側エッジに沿って組織把持手段をさらに備える、装置。
（３）実施態様１に記載の装置において、
前記内側シリンダーは、前記開口の外側エッジに沿って組織把持手段をさらに備える、装置。
（４）実施態様３に記載の装置において、
前記外側シリンダーは、前記円柱状の壁に一対の開口を有し、
前記内側シリンダーは、前記円柱状の壁に一対の開口を有し、
前記内側シリンダーは、前記外側シリンダーの前記開口が前記内側シリンダーの前記開口に少なくとも部分的にオーバーラップするように、前記外側シリンダーの内部に少なくとも部分的に配置される、装置。
（５）実施態様１に記載の装置において、
前記細長い部材は、内視鏡である、装置。
（６）実施態様１に記載の装置において、
前記細長い部材は、前記エンドエフェクタと連絡する真空源をさらに備える、装置。
（７）実施態様１に記載の装置において、
視覚化装置、
をさらに含む、装置。
【００３７】
（８）中空器官の内部の褶壁を保持するための装置において、
該装置は、
ａ．遠位端および近位端を有する細長い部材であって、
前記遠位端は、体腔内に挿入され、
前記細長い部材は、前記遠位端にエンドエフェクタを有し、該エンドエフェクタは、円柱状の壁に少なくとも１つの開口を有する外側シリンダー、および、円柱状の壁に少なくとも１つの開口を有する内側シリンダーを備え、
前記内側シリンダーは、前記外側シリンダーの内部に少なくとも部分的に配置され、
前記外側および内側シリンダーは、前記開口がほぼ完全にオーバーラップする開かれた位置から、前記開口が前記開かれた位置に比べて小さな程度だけオーバーラップする閉じられた位置まで互いに対して回転可能であり、
前記エンドエフェクタは、前記細長い部材から取り外し可能であり、これにより、前記体腔の内部に残ることができる、
細長い部材、
を備える、装置。
（９）実施態様８に記載の装置において、
前記外側シリンダーは、前記開口の外側エッジに沿って組織把持手段をさらに備える、装置。
（１０）実施態様８に記載の装置において、
前記内側シリンダーは、前記開口の外側エッジに沿って組織把持手段をさらに備える、装置。
（１１）実施態様１０に記載の装置において、
前記外側シリンダーは、前記円柱状の壁に一対の開口を有し、
前記内側シリンダーは、前記円柱状の壁に一対の開口を有し、
前記内側シリンダーは、前記外側シリンダーの前記開口が前記内側シリンダーの前記開口に少なくとも部分的にオーバーラップするように、前記外側シリンダーの内部に少なくとも部分的に配置される、装置。
（１２）実施態様８に記載の装置において、
前記細長い部材は、内視鏡である、装置。
（１３）実施態様８に記載の装置において、  前記細長い部材は、前記エンドエフェクタと連絡する真空源をさらに備える、装置。
（１４）実施態様８に記載の装置において、
視覚化装置、
をさらに含む、装置。
【図面の簡単な説明】
【００３８】
【図１】本発明の組織褶壁形成装置のための第１の実施形態の斜視図である。
【図２】胃腔の組織領域に押し込まれた、図１の組織褶壁形成装置の概略図である。
【図３Ａ】初期の閉じられた位置にある装置の先端を示す、図１の組織褶壁形成装置の遠位端のより詳細な斜視図である。
【図３Ｂ】部分的に開かれた位置にある装置の先端を示す、図１の組織褶壁形成装置の遠位端のより詳細な斜視図である。
【図３Ｃ】完全に開かれた作動位置にある装置の先端を示す、図１の組織褶壁形成装置の遠位端のより詳細な斜視図である。
【図４】組織領域に襞を形成している装置を示す、図１の組織褶壁形成装置の概略図である。
【図５】組織褶壁形成装置の襞形成部材のための第２の実施形態の斜視図である。
【図６】完全に開かれた位置にある襞形成部材のジョーを示す、図５の襞形成部材の実施形態のさらなる斜視図である。
【図７】本発明の襞形成部材のための第３の実施形態の斜視図である。
【図８】襞形成部材のための第４の実施形態の斜視図である。
【図９】襞形成部材のための第５の実施形態の斜視図である。
【図１０Ａ】引き込まれた第１の位置にある部材の引き込み可能なジョーを示す、襞形成部材のための第６の実施形態の斜視図である。
【図１０Ｂ】前方に突出した位置にある引き込み可能なジョーを示す、襞形成部材の第６の実施形態のさらなる斜視図である。
【図１１】装置が組織締め付け部材をさらに備える、本発明の組織襞形成装置のための択一的な実施形態を示す図である。
【図１２Ａ】図１１に示した締め付け具の実施形態のより詳細な斜視図である。
【図１２Ｂ】図１１に示した締め付け具の実施形態の上面図である。
【図１２Ｃ】図１１に示した締め付け具の実施形態の端面図である。
【図１３】胃腔の内部の組織壁に押し込まれた装置を示す、図１１の組織褶壁形成装置の概略図である。
【図１４】装置が組織襞に締め付け具を配置するところを示す、図１１の組織褶壁形成装置の概略図である。
【図１５】襞形成および締め付け部材の配置後の胃腔を示す、図１４に類似の概略図である。
【図１６Ａ】組織褶壁形成締め付け具のための択一的な実施形態の斜視図である。
【図１６Ｂ】図１６Ａに示した択一的な締め付け具の上面図である。
【図１６Ｃ】図１６Ａに示した択一的な締め付け具の側面図である。
【図１６Ｄ】図１６Ａに示した択一的な締め付け具の端面図である。
【図１７】本発明による組織締め付け具のための第３の実施形態の斜視図である。
【図１８Ａ】組織締め付け装置のための第４の実施形態の斜視図である。
【図１８Ｂ】図１８Ａに示した組織締め付け装置の側面図である。
【図１８Ｃ】図１８Ａに示した組織締め付け装置の端面図である。
【図１９Ａ】組織締め付け装置のための第５の実施形態を示す斜視図である。
【図１９Ｂ】図１９Ａに示した組織締め付け装置の上面図である。
【図１９Ｃ】図１９Ａに示した組織締め付け装置の側面図である。
【図２０Ａ】組織締め付け装置のための第６の実施形態の斜視図である。
【図２０Ｂ】図２０Ａに示した組織締め付け装置の上面図である。
【図２０Ｃ】図２０Ａに示した組織締め付け装置の側面図である。
【図２１】本発明の組織締め付け装置のための第７の実施形態の斜視図である。
【図２２】本発明の組織褶壁形成インプラント装置のためのさらなる実施形態の斜視図である。
【図２３】図２２に示したものと類似しているが、部分的に配備された位置にある装置を示す図である。
【図２４】図２２に示した実施形態の分解図である。
【図２５Ａ】実際に組織を獲得し、褶壁を形成している、図１に示した装置の簡略化した斜視図である。
【図２５Ｂ】実際に組織を獲得し、褶壁を形成している、図１に示した装置の簡略化した側面図である。
【図２５Ｃ】実際に組織を獲得し、褶壁を形成している、図１に示した装置の簡略化した側方断面図である。
【図２５Ｄ】実際に組織を獲得し、褶壁を形成している、図１に示した装置の斜視図である。
【図１】
0005384019.tif 000002
【図２】
0005384019.tif 000003
【図３Ａ】
0005384019.tif 000004
【図３Ｂ】
0005384019.tif 000005
【図３Ｃ】
0005384019.tif 000006
【図４】
0005384019.tif 000007
【図５】
0005384019.tif 000008
【図６】
0005384019.tif 000009
【図７】
0005384019.tif 000010
【図８】
0005384019.tif 000011
【図９】
0005384019.tif 000012
【図１０Ａ】
0005384019.tif 000013
【図１０Ｂ】
0005384019.tif 000014
【図１１】
0005384019.tif 000015
【図１２Ａ】
0005384019.tif 000016
【図１２Ｂ】
0005384019.tif 000017
【図１２Ｃ】
0005384019.tif 000018
【図１３】
0005384019.tif 000019
【図１４】
0005384019.tif 000020
【図１５】
0005384019.tif 000021
【図１６Ａ】
0005384019.tif 000022
【図１６Ｂ】
0005384019.tif 000023
【図１６Ｃ】
0005384019.tif 000024
【図１６Ｄ】
0005384019.tif 000025
【図１７】
0005384019.tif 000026
【図１８Ａ】
0005384019.tif 000027
【図１８Ｂ】
0005384019.tif 000028
【図１８Ｃ】
0005384019.tif 000029
【図１９Ａ】
0005384019.tif 000030
【図１９Ｂ】
0005384019.tif 000031
【図１９Ｃ】
0005384019.tif 000032
【図２０Ａ】
0005384019.tif 000033
【図２０Ｂ】
0005384019.tif 000034
【図２０Ｃ】
0005384019.tif 000035
【図２１】
0005384019.tif 000036
【図２２】
0005384019.tif 000037
【図２３】
0005384019.tif 000038
【図２４】
0005384019.tif 000039
【図２５Ａ】
0005384019.tif 000040
【図２５Ｂ】
0005384019.tif 000041
【図２５Ｃ】
0005384019.tif 000042
【図２５Ｄ】
0005384019.tif 000043